(57)【要約】【課題】機械を構成する部品の疲労進行状態を監視するにあたって、簡単なシステムで以って、部品の交換実績及び整備実績を考慮した交換寿命を把握可能とするとともに、機械の使用経過における該機械の負荷度合いを考慮した使用時間を採用可能として、機械を構成する部品の疲労進行状態の監視精度を向上させて正確な交換時期を把握可能とした部品の状態監視方法及びその装置を提供する。【解決手段】機械を構成する部品の疲労進行状態を監視する部品の状態監視手段であって、前記機械の始動時刻及び停止時刻を検知して前記２つの時刻差から前記機械の運転時間を算出し、該運転時間と予め記録された前記機械の運転履歴に基づき前記部品の実使用時間を算出し、予め記録された前記部品の交換履歴から該部品の交換時間を算出し、前記交換時間と前記実使用時間との差から前記部品の交換あるいは整備までの余裕度を検知することを特徴とする。【選択図】図１
2007206007.tif 000002
【特許請求の範囲】
【請求項１】
機械を構成する部品の疲労進行状態を監視する部品の状態監視方法であって、前記機械の始動時刻及び停止時刻を検知して前記２つの時刻差から前記機械の運転時間を算出し、該運転時間と予め記録された前記機械の運転履歴に基づき前記部品の実使用時間を算出し、予め記録された前記部品の交換履歴から該部品の交換時間を算出し、前記交換時間と前記実使用時間との差から前記部品の交換あるいは整備までの余裕度を検知することを特徴とする部品の状態監視方法。
【請求項２】
機械を構成する部品の疲労進行状態を監視する部品の状態監視方法であって、前記機械の始動時刻及び停止時刻を検知して前記２つの時刻差から前記機械の運転時間を算出し、前記機械の運転負荷状態によって運転時間の長さを調整する重み係数を設定し、前記機械の運転負荷状態を検知して該運転負荷状態と前記重み係数とにより前記運転時間を補正して重み付き運転時間を算出し、該重み付き運転時間を用いて前記部品の実使用時間を算出し、予め記録された前記部品の交換履歴から該部品の交換時間を算出し、前記交換時間と前記実使用時間との差から前記部品の交換あるいは整備までの余裕度を検知することを特徴とする部品の状態監視方法。
【請求項３】
予め記録された前記機械の整備履歴から該機械の整備後運転時間を算出し、該整備後運転時間を用いて前記部品の実使用時間を補正することを特徴とする請求項１または２のいずれかの項に記載の部品の状態監視方法。
【請求項４】
機械を構成する部品の疲労進行状態を監視する部品の状態監視装置において、前記機械の始動時刻及び停止時刻を検出する発停情報検出手段をそなえるとともに、前記発停情報検出手段から入力される始動時刻及び停止時刻の２つの検出値の時刻差から前記機械の運転時間を算出する手段と、前記機械の運転履歴を記録する手段と、前記運転時間と前記運転履歴に基づき前記部品の実使用時間を算出する手段と、前記部品の交換履歴を記録する手段と、前記交換履歴から前記部品の交換時間を算出する手段と、前記交換時間と前記実使用時間との差を算出してこの差から前記部品の交換あるいは整備までの余裕度を検知する手段とよりなるモニタリング装置をそなえたことを特徴とする部品の状態監視装置。
【請求項５】
機械を構成する部品の疲労進行状態を監視する部品の状態監視装置において、前記機械の始動時刻及び停止時刻を検出する発停情報検出手段、及び前記機械の運転負荷状態を検出する負荷状態検出手段をそなえるとともに、前記発停情報検出手段から入力される始動時刻及び停止時刻の２つの検出値の時刻差から前記機械の運転時間を算出する手段と、前記機械の運転負荷状態によって運転時間の長さを調整する重み係数を設定する手段と、前記負荷状態検出手段から入力される機械の運転負荷状態検出値と前記重み係数とにより前記運転時間を補正して重み付き運転時間を算出する手段と、該重み付き運転時間を用いて前記部品の実使用時間を算出する手段と、前記部品の交換履歴を記録する手段と、前記交換履歴から前記部品の交換時間を算出する手段と、前記交換時間と前記実使用時間との差を算出してこの差から前記部品の交換あるいは整備までの余裕度を検知する手段とよりなるモニタリング装置をそなえたことを特徴とする部品の状態監視装置。
【請求項６】
前記モニタリング装置に、予め記録された前記機械の整備履歴から該機械の整備後運転時間を算出する手段と、該整備後運転時間を用いて前記部品の実使用時間を補正する手段とを加設したことを特徴とする請求項４ないし５のいずれかの項に記載の部品の状態監視装置。
【請求項７】
前記機械がエンジンであり、前記部品が該エンジンの構成部品であることを特徴とする請求項４ないし６のいずれかの項に記載の部品の状態監視装置。
【発明の詳細な説明】
【技術分野】
【０００１】
本発明は、エンジンの構成部品の寿命予測等に適用され、エンジン等の機械を構成する部品の疲労進行状態を監視する部品の状態監視方法及びその装置に関する。
【背景技術】
【０００２】
エンジンのピストンリング、軸受、シリンダ、燃料噴射ノズル、排気弁、シール部材等の熱疲労や摩耗を生ずる構成部材は、寿命予測を行ないあるいは使用状況をモニタリングして、一定の使用時間に達したら整備あるいは交換するようになっている。
かかるエンジンや排気ターボ過給機の高温状態で使用される構成部品の監視システムとして、特許文献１（特開２００３−１５０２３７号公報）の技術が提供されている。
【０００３】
特許文献１（特開２００３−１５０２３７号公報）にて提供されている技術は、高温使用部品に対して、機械の遠隔地に置かれた解析サーバが、前記部品及び損傷モード毎に検索可能なフォールトツリー解析を該部品の診断結果に基づいて必要に応じて実行し、前記部品の損傷に関する要因を監視するようにした高温使用部品の遠隔監視システムである。
【０００４】
【特許文献１】特開２００３−１５０２３７号公報
【発明の開示】
【発明が解決しようとする課題】
【０００５】
エンジンの熱疲労や摩耗を生ずる構成部品においては、整備や交換を行なって使用する場合が多く、従ってかかる構成部品の交換までの寿命や整備の要否を決定するためには、部品毎の交換実績及び整備実績を考慮することが要求される。また、エンジンは低負荷から高負荷まで構成部品に掛かる負荷度合いが変化することから、構成部品の交換までの寿命や整備の要否を決定する際に、部品の使用時間を算出する際には前記負荷度合いを考慮した使用時間を用いることも要求される。
【０００６】
然るに、特許文献１（特開２００３−１５０２３７号公報）の技術にあっては、機械の遠隔地に置かれた解析サーバによって、構成部品及び損傷モード毎に検索可能なフォールトツリー解析を該部品の診断結果に基づいて必要に応じて実行し、前記構成部品の損傷に関する要因を監視するようにしている、つまり構成部品の組み込みから寿命（交換）までの監視及び寿命予測を行なっているにとどまっており、また、構成部品の使用時間についても単純使用時間によっており、機械の負荷度合いを考慮してはいない。
【０００７】
本発明はかかる従来技術の課題に鑑み、エンジン等の機械を構成する部品の疲労進行状態を監視するにあたって、簡単なシステムで以って、部品の交換実績及び整備実績を考慮した交換寿命を把握可能とするとともに、機械の使用経過における該機械の負荷度合いを考慮した使用時間を採用可能として、機械を構成する部品の疲労進行状態の監視精度を向上させて正確な交換時期を把握可能とした部品の状態監視方法及びその装置を提供することを目的とする。
【課題を解決するための手段】
【０００８】
本発明はかかる目的を達成するもので、機械を構成する部品の疲労進行状態を監視する部品の状態監視方法であって、前記機械の始動時刻及び停止時刻を検知して前記２つの時刻差から前記機械の運転時間を算出し、該運転時間と予め記録された前記機械の運転履歴に基づき前記部品の実使用時間を算出し、予め記録された前記部品の交換履歴から該部品の交換時間を算出し、前記交換時間と前記実使用時間との差から前記部品の交換あるいは整備までの余裕度を検知することを特徴とする（請求項１）。
かかる発明において、好ましくは、予め記録された前記機械の整備履歴から該機械の整備後運転時間を算出し、該整備後運転時間を用いて前記部品の実使用時間を補正する（請求項３、６）。
【０００９】
また、前記部品の状態監視方法を実施する装置の発明は、機械を構成する部品の疲労進行状態を監視する部品の状態監視装置において、前記機械の始動時刻及び停止時刻を検出する発停情報検出手段をそなえるとともに、前記発停情報検出手段から入力される始動時刻及び停止時刻の２つの検出値の時刻差から前記機械の運転時間を算出する手段と、前記機械の運転履歴を記録する手段と、前記運転時間と前記運転履歴に基づき前記部品の実使用時間を算出する手段と、前記部品の交換履歴を記録する手段と、前記交換履歴から前記部品の交換時間を算出する手段と、前記交換時間と前記実使用時間との差を算出してこの差から前記部品の交換あるいは整備までの余裕度を検知する手段とよりなるモニタリング装置をそなえたことを特徴とする（請求項４）。
【００１０】
かかる発明によれば、発停情報検出手段により機械の始動時刻及び停止時刻を検知してモニタリング装置に入力し、該モニタリング装置において、前記発停情報検出手段からの始動時刻及び停止時刻との時刻差から前記機械の運転時間を算出し、該運転時間と前記機械の運転履歴に基づき前記部品の実使用時間を算出する一方、予め記録された前記部品の交換履歴から該部品の交換時間を算出し、この交換時間と前記実使用時間との差を算出してこの時間差から前記部品の交換あるいは整備までの余裕度を検知するので、部品毎に実使用時間と該部品の交換履歴に基づき設定された交換時間と突き合せて、交換履歴に基づく交換時間と実使用時間との差を当該部品の交換までの余裕度（余裕時間）として算出することにより、部品が正常状態であっても、リアルタイムで該部品の交換あるいは整備までの時間を正確に把握することができる。
これにより、機械の運転状態を検出する手段とモニタリング装置内のデータベースとを組み合わせるという簡単なシステムで以って、部品の交換あるいは整備までの疲労進行状態をリアルタイムで精度良く検知でき、機械のメインテナンス能率が向上する。
【００１１】
また、かかる発明において、予め記録された機械の整備履歴から該機械の整備後運転時間を算出し、該整備後運転時間を用いて前記部品の実使用時間を補正して補正実使用時間として、前記交換時間と補正実使用時間との差により当該部品の交換までの余裕度を算出するように構成すれば（請求項３、６）、前記部品の整備履歴を加味して当該部品の交換までの余裕度を検知できるので、部品の交換までの疲労進行状態をさらに高精度で検知できる。
【００１２】
また本発明は、機械を構成する部品の疲労進行状態を監視する部品の状態監視方法であって、前記機械の始動時刻及び停止時刻を検知して前記２つの時刻差から前記機械の運転時間を算出し、前記機械の運転負荷状態によって運転時間の長さを調整する重み係数を設定し、前記機械の運転負荷状態を検知して該運転負荷状態と前記重み係数とにより前記運転時間を補正して重み付き運転時間を算出し、該重み付き運転時間を用いて前記部品の実使用時間を算出し、予め記録された前記部品の交換履歴から該部品の交換時間を算出し、前記交換時間と前記実使用時間との差から前記部品の交換あるいは整備までの余裕度を検知することを特徴とする（請求項２）。
【００１３】
また、前記部品の状態監視方法を実施する装置の発明は、機械を構成する部品の疲労進行状態を監視する部品の状態監視装置において、前記機械の始動時刻及び停止時刻を検出する発停情報検出手段、及び前記機械の運転負荷状態を検出する負荷状態検出手段をそなえるとともに、前記発停情報検出手段から入力される始動時刻及び停止時刻の２つの検出値の時刻差から前記機械の運転時間を算出する手段と、前記機械の運転負荷状態によって運転時間の長さを調整する重み係数を設定する手段と、前記負荷状態検出手段から入力される機械の運転負荷状態検出値と前記重み係数とにより前記運転時間を補正して重み付き運転時間を算出する手段と、該重み付き運転時間を用いて前記部品の実使用時間を算出する手段と、前記部品の交換履歴を記録する手段と、前記交換履歴から前記部品の交換時間を算出する手段と、前記交換時間と前記実使用時間との差を算出してこの差から前記部品の交換あるいは整備までの余裕度を検知する手段とよりなるモニタリング装置をそなえたことを特徴とする（請求項５）。
【００１４】
かかる発明によれば、発停情報検出手段により機械の始動時刻及び停止時刻を検知してモニタリング装置に入力するとともに、負荷状態検出手段により機械の運転負荷状態を検出してモニタリング装置に入力し、該モニタリング装置において、前記発停情報検出手段からの始動時刻及び停止時刻との時刻差から前記機械の運転時間を算出し、前記機械の運転負荷状態によって運転時間の長さを調整する重み係数を設定しておき、前記負荷状態検出手段からの機械の運転負荷状態検出値と前記重み係数設定値とにより前記運転時間を補正して重み付き運転時間を算出してこの重み付き運転時間を用いて前記部品の実使用時間を算出する一方、予め記録された前記部品の交換履歴から該部品の交換時間を算出し、この交換時間と前記重み付き運転時間に基づく実使用時間との差を算出してこの時間差から前記部品の交換あるいは整備までの余裕度を検知するので、前記機械の使用経過における該機械の運転負荷の度合いを考慮して、たとえば高負荷運転では低負荷運転よりも運転時間を長くするように補正して実使用時間を算出することにより、当該部品の交換までの余裕度（余裕時間）の算出精度を向上できる。
【００１５】
さらに、かかる発明は、ピストンリング、軸受、シリンダ、燃料噴射ノズル、排気弁、シール部材等の熱疲労や摩耗を生ずる構成部品の多いエンジンに適用すれば、前記効果をより顕著に発揮できる。
【発明の効果】
【００１６】
本発明によれば、機械の始動時刻及び停止時刻との時刻差から運転時間を算出し、該運転時間と機械の運転履歴に基づき機械の構成部品の実使用時間を算出する一方、前記部品の交換履歴から該部品の交換時間を算出し、この交換時間と実使用時間との差を算出してこの時間差から前記部品の交換あるいは整備までの余裕度を検知するので、交換履歴に基づく交換時間と実使用時間との差から当該部品の交換までの余裕度（余裕時間）を算出することにより、部品が正常状態であっても、リアルタイムで該部品の交換までの時間を正確に把握することができる。
これにより、機械の運転状態を検出する手段とモニタリング装置内のデータベースとを組み合わせるという簡単なシステムで以って、部品の交換までの疲労進行状態をリアルタイムで精度良く検知でき、機械のメインテナンス能率が向上する。
また、機械の整備履歴から算出した整備後運転時間を用いて部品の実使用時間を補正して補正実使用時間を用いて前記余裕度を算出するように構成すれば、部品の整備履歴を加味して当該部品の交換までの余裕度を検知できるので、部品の交換までの疲労進行状態をさらに高精度で検知できる。
【００１７】
また、本発明によれば、始動時刻及び停止時刻との時刻差から前記機械の運転時間を算出し、機械の運転負荷状態検出値と重み係数設定値とにより前記運転時間を補正して算出した重み付き運転時間を用いて部品の実使用時間を算出し、前記交換時間と前記重み付き運転時間に基づく実使用時間との差を算出してこの時間差から部品の交換あるいは整備までの余裕度を検知することにより、機械の使用経過における該機械の運転負荷の度合いを加味することにより、当該部品の交換までの余裕度（余裕時間）の算出精度を向上できる。
【発明を実施するための最良の形態】
【００１８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１９】
図１は 本発明の実施例に係るエンジン部品の状態監視システムの制御ブロック図、図２は前記実施例におけるエンジンの検出手段及びモニタリング装置の全体構成図である。
図２において、かかるエンジンの検出手段は、エンジンの始動時刻及び停止時刻を検出するエンジン発停情報検出手段１、エンジンの運転負荷状態を検出するエンジン負荷状態検出手段２からなる。また前記モニタリング装置１００は、運転履歴のデータベース１０１、整備履歴のデータベース１０２、交換履歴のデータベース１０３、発停情報のデータベース１０４、及びエンジン運転時間の演算部１０５、部品別使用時間及び余裕度（余裕時間）の演算部１０６等からなる。
【００２０】
次に図２に基づき、本発明の実施例に係るエンジン部品の状態監視システムの動作を説明する。
前記エンジン発停情報検出手段１からのエンジンの始動時刻及び停止時刻の検出値は、前記モニタリング装置１００のエンジン運転時間算出部１２に入力される。また前記エンジン負荷状態検出手段２からのエンジンの運転負荷状態の検出値は前記モニタリング装置１００の負荷別全運転時間算出部１０に入力される。
エンジン運転時間算出部１２においては、前記始動時刻と停止時刻との２つの時刻差からエンジンの運転時間を算出して前記負荷別全運転時間算出部１０に入力する。
【００２１】
１１はエンジン運転履歴記録部で、前記運転時間算出部１２での運転時間の算出以前のエンジンの運転履歴について、図３の表（Ａ）のように、エンジン負荷を１／４負荷未満の低負荷、１／４〜１／２負荷の中負荷、１／２負荷を超える高負荷の３つの負荷区分（負荷の区分は任意でよい）に分け、前記低負荷の運転時間Ｔ１及び積算運転時間Ｔ１Ｓ、前記中負荷の運転時間Ｔ２及び積算運転時間Ｔ２Ｓ、前記高負荷の運転時間Ｔ３及び積算運転時間Ｔ３Ｓが記録されている。
前記負荷別全運転時間算出部１０においては、前記エンジン運転時間算出部１２からのエンジン運転時間の算出値及びこのときの前記エンジン負荷状態検出手段２からのエンジン負荷状態検出値とにより、エンジンの負荷別運転時間を算出し、この負荷別運転時間を前記エンジン運転履歴記録部に記録されているエンジンの負荷別運転履歴に加算して、エンジンの負荷別累計運転時間を算出して重み付き運転時間算出部１６に入力する。
【００２２】
１５は重み係数設定部で、図３の表（Ｂ）のように、エンジンの各構成部品（この例ではピストン）の、前記３つの負荷区分（負荷の区分は任意でよい）における重み係数Ｋ１、Ｋ２、Ｋ３が設定されている。前記重み係数Ｋ１、Ｋ２、Ｋ３は、エンジン負荷が大きくなるに従い各構成部品（この例ではピストン）にかかる力や熱が大きくなって劣化度合いが速くなることから、エンジン負荷が大きくなるに従い大きくして（Ｋ１＜Ｋ２＜Ｋ３）、負荷の大きさを加味して構成部品の実使用時間を記録するようにしている。
前記重み付き運転時間算出部１６においては、前記負荷別全運転時間算出部１０からのエンジンの負荷別累計運転時間の算出値に前記重み係数Ｋ１、Ｋ２、Ｋ３を乗じて負荷別の重み付き累計運転時間（たとえば図３（Ｂ）におけるＫ１・Ｔ１Ｓ、Ｋ２・Ｔ２Ｓ、Ｋ３・Ｔ３Ｓ）を算出して部品実使用時間算出部１７に入力する。
【００２３】
１３はエンジン整備状況記録部で、エンジンの各構成部品についての整備履歴が記録されている。１４はエンジン整備後経過時間算出部で、前記エンジン整備状況記録部１３から入力される各構成部品についての整備履歴から各構成部品の整備後運転時間を算出して、前記部品実使用時間算出部１７に入力する。
該部品実使用時間算出部１７においては、前記重み付き運転時間算出部１６からの重み付き累計運転時間を前記整備後運転時間で補正して、該整備後運転時間を加味した各構成部品の実使用時間を算出して部品余裕度算出部１８に入力する。
即ち、整備が施された構成部品については、実使用時間は整備後の運転時間が実質的な使用時間になるので、実使用時間として整備後運転時間あるいは該整備後運転時間に若干の付加時間を加えた値を用いる。
【００２４】
１９は部品交換状況記録部で、エンジンの各構成部品についての交換履歴が記録されている。２０は部品交換時間算出部で、各構成部品について前記部品交換状況記録部１９に記録された交換履歴から、各構成部品の交換時間即ち許容使用時間を算出して前記部品余裕度算出部１８に入力する。
該部品余裕度算出部１８においては、前記各構成部品について、前記部品交換時間算出部２０からの交換時間と前記部品実使用時間算出部１７からの実使用時間との差から前記部品の交換あるいは整備までの余裕度を算出する。この構成部品毎の余裕度算出結果は表示装置３に表示される。
【００２５】
かかる実施例によれば、エンジン発停情報検出手段１によりエンジンの始動時刻及び停止時刻を検知してモニタリング装置１００に入力し、該モニタリング装置１００において、前記エンジン発停情報検出手段１からの始動時刻及び停止時刻との時刻差からエンジンの運転時間を算出し、該運転時間とエンジンの運転履歴に基づきエンジン構成部品の実使用時間を算出する一方、予め記録された前記構成部品の交換履歴から該構成部品の交換時間を算出し、この交換時間と前記実使用時間との差を算出してこの時間差から前記構成部品の交換あるいは整備までの余裕度を検知するので、構成部品毎に実使用時間と該構成部品の交換履歴に基づき設定された交換時間と突き合せて、交換履歴に基づく交換時間と実使用時間との差を当該部品の交換までの余裕度（余裕時間）として算出することにより、構成部品が正常状態であっても、リアルタイムで該構成部品の交換までの時間を正確に把握することができる。
【００２６】
これにより、エンジンの運転状態を検出する手段１、２とモニタリング装置１００内のデータベースとを組み合わせるという簡単なシステムで以って、エンジン構成部品の交換までの疲労進行状態をリアルタイムで精度良く検知でき、エンジンのメインテナンス能率が向上する。
【００２７】
また、かかる実施例において、予め記録されたエンジンの整備履歴から該エンジンの整備後運転時間を算出し、該整備後運転時間を用いてエンジン構成部品の実使用時間を補正して補正実使用時間として、前記交換時間と補正実使用時間との差により当該構成部品の交換までの余裕度を算出するので、前記構成部品の整備履歴を加味して当該構成部品の交換までの余裕度を検知できることとなって、構成部品の交換までの疲労進行状態をさらに高精度で検知できる。
【００２８】
また、かかる実施例によれば、エンジン発停情報検出手段１により機械の始動時刻及び停止時刻を検知してモニタリング装置に入力するとともに、エンジン負荷状態検出手段２によりエンジンの運転負荷状態を検出してモニタリング装置１００に入力し、該モニタリング装置１００において、前記エンジン発停情報検出手段１からの始動時刻及び停止時刻との時刻差からエンジンの運転時間を算出し、エンジンの運転負荷状態によって運転時間の長さを調整する重み係数を設定しておき、前記エンジン負荷状態検出手段２からのエンジンの運転負荷状態検出値と前記重み係数設定値とにより前記運転時間を補正して重み付き運転時間を算出し、この重み付き運転時間を用いて前記構成部品の実使用時間を算出する一方、予め記録されたエンジン構成部品の交換履歴から該構成部品の交換時間を算出し、この交換時間と前記重み付き運転時間に基づく実使用時間との差を算出してこの時間差から前記構成部品の交換あるいは整備までの余裕度を検知するので、エンジンの使用経過における該エンジンの運転負荷の度合いを考慮して、たとえば高負荷運転では低負荷運転よりも運転時間を長くするように補正して実使用時間を算出することにより、当該構成部品の交換までの余裕度（余裕時間）の算出精度を向上できる。
【００２９】
尚、前記実施例において、図１における重み係数設定部１５及び重み付き運転時間算出部１６を除去して、前記負荷別全運転時間算出部１０で算出されたエンジンの負荷別累計運転時間を部品実使用時間算出部１７に直接に入力し、該エンジンの負荷別累計運転時間を用いて各構成部品の実使用時間を算出するように構成することもできる。
【００３０】
さらに、本発明はこの実施例におけるエンジンに限らず、熱による損傷、摩耗等が発生し易い構成部品からなる機械全般の状態監視システムに適用できる。
【産業上の利用可能性】
【００３１】
本発明によれば、エンジン等の機械を構成する部品の疲労進行状態を監視するにあたって、簡単なシステムで以って、部品の交換実績及び整備実績を考慮した交換寿命を把握可能とするとともに、機械の使用経過における該機械の負荷度合いを考慮した使用時間を採用可能として、機械を構成する部品の疲労進行状態の監視精度を向上させて正確な交換時期を把握可能とした部品の状態監視方法及びその装置を提供できる。
【図面の簡単な説明】
【００３２】
【図１】本発明の実施例に係るエンジン部品の状態監視システムの制御ブロック図である。
【図２】前記実施例におけるエンジン発停情報検出手段及びモニタリング装置の全体構成図である。
【図３】前記実施例におけるエンジン負荷と重み係数との関係表である。
【符号の説明】
【００３３】
１      エンジン発停情報検出手段
２      エンジン負荷状態検出手段
３      表示装置
１０    負荷別全運転時間算出部
１１    エンジン運転履歴記録部
１２    エンジン運転時間算出部
１３    エンジン整備状況記録部
１４    エンジン整備後経過時間算出部
１５    重み係数設定部
１６    重み付き運転時間算出部
１７    部品実使用時間算出部
１８    部品余裕度算出部
１９    部品交換状況記録部
２０    部品交換時間算出部
１００  モニタリング装置
【図１】
2007206007.tif 000003
【図２】
2007206007.tif 000004
【図３】
2007206007.tif 000005